(57)【要約】【課題】びびり音を抑制可能なフラットファンガード及び室外ユニットを提供する。【解決手段】フラットファンガード４０は、板金製の外装体端面３１Ａ，３２Ａ，３３Ａ３，３３Ｂ３に配置されるフラットファンガードであって、ファンガード４０の外周縁４０Ａを外装体端面３１Ａ，３２Ａ，３３Ａ３，３３Ｂ３の内周縁３０よりも小さく形成し、縦列、横列に複数の細線材４１を配列し、当該細線材４１の間に太線材４２を配列し、いずれかの太線材４２の両端部４２Ａにファンガード４０を外装体端面３１Ａ，３２Ａ，３３Ａ３，３３Ｂ３に取り付けるための取り付け部４３，４４を備える構成とする。【選択図】図７
2014129920.tif 000002
【特許請求の範囲】
【請求項１】
板金製の外装体端面に配置されるフラットファンガードであって、
ファンガードの外周縁を前記外装体端面の内周縁よりも小さく形成し、縦列、横列に複数の細線材を配列し、当該細線材の間に太線材を配列し、いずれかの太線材の両端部に前記ファンガードを前記外装体端面に取り付けるための取り付け部を備えたことを特徴とするフラットファンガード。
【請求項２】
前記太線材を複数本隣同士に配列し、各太線材の端部同士を閉じて前記取り付け部を形成したことを特徴とする請求項１に記載のフラットファンガード。
【請求項３】
いずれかの細線材の端部にファンガードの逆取り付けを防止するための位置決め部を設け、当該細線材の隣の前記太線材の両端部に前記取り付け部を備えたことを特徴とする請求項１又は２に記載のフラットファンガード。
【請求項４】
前記ファンガードの外周縁部に前記太線材を複数本配列したことを特徴とする請求項１乃至３の何れかに記載のフラットファンガード。
【請求項５】
前記取り付け部は前記太線材の端部を曲げて形成されていることを特徴とする請求項１乃至４の何れかに記載のフラットファンガード。
【請求項６】
板金製の外装体端面にフラットファンガードが配置され、フラットファンガードの奥に室外熱交換器用のプロペラファンが配置された室外ユニットであって、
フラットファンガードは、
ファンガードの外周縁が前記外装体端面の内周縁よりも小さく形成され、縦列、横列に複数の細線材を配列し、当該細線材の間に太線材を配列し、いずれかの太線材の両端部に前記ファンガードを前記外装体端面に取り付けるための取り付け部を備えたことを特徴とする室外ユニット。
【発明の詳細な説明】
【技術分野】
【０００１】
本発明は、外装体に配置されるフラットファンガード及びそれを用いた室外ユニットに関する。
【背景技術】
【０００２】
従来、空気調和装置の室外ユニットにおいて、外装体の天面にフラットファンガードを配置したものが知られている（例えば、特許文献１参照）。
【先行技術文献】
【特許文献】
【０００３】
【特許文献１】特許第３１１０２１６号公報
【発明の概要】
【発明が解決しようとする課題】
【０００４】
しかしながら、上記従来の構成では、外装体とフラットファンガードとが接触しているため、室外ユニットの運転時に、外装体に振動が伝達されると、外装体とフラットファンガードとが衝突を繰り返し、いわゆるビビリ音が発生するおそれがあった。
本発明は、上述した事情に鑑みてなされたものであり、びびり音を抑制可能なフラットファンガード及び室外ユニットを提供することを目的とする。
【課題を解決するための手段】
【０００５】
上記目的を達成するために、本発明は、板金製の外装体端面に配置されるフラットファンガードであって、ファンガードの外周縁を前記外装体端面の内周縁よりも小さく形成し、縦列、横列に複数の細線材を配列し、当該細線材の間に太線材を配列し、いずれかの太線材の両端部に前記ファンガードを前記外装体端面に取り付けるための取り付け部を備えたことを特徴とする。
【０００６】
上記構成において、前記太線材を複数本隣同士に配列し、各太線材の端部同士を閉じて前記取り付け部を形成してもよい。
【０００７】
上記構成において、いずれかの細線材の端部にファンガードの逆取り付けを防止するための位置決め部を設け、当該細線材の隣の前記太線材の両端部に前記取り付け部を備えてもよい。
【０００８】
上記構成において、前記ファンガードの外周縁部に前記太線材を複数本配列してもよい。
【０００９】
上記構成において、前記取り付け部は前記太線材の端部を曲げて形成されていてもよい。
【００１０】
また、本発明は、板金製の外装体端面にフラットファンガードが配置され、フラットファンガードの奥に室外熱交換器用のプロペラファンが配置された室外ユニットであって、フラットファンガードは、ファンガードの外周縁が前記外装体端面の内周縁よりも小さく形成され、縦列、横列に複数の細線材を配列し、当該細線材の間に太線材を配列し、いずれかの太線材の両端部に前記ファンガードを前記外装体端面に取り付けるための取り付け部を備えたことを特徴とする。
【発明の効果】
【００１１】
本発明によれば、ファンガードの外周縁を外装体端面の内周縁よりも小さく形成したため、ファンガードと外装体との接触を抑制できる。また、縦列、横列に複数の細線材を配列し、当該細線材の間に太線材を配列し、いずれかの太線材の両端部にファンガードを外装体端面に取り付けるための取り付け部を備えたため、太線材によってファンガードを外装体に強固に固定できるので、外装体とファンガードとの衝突を防止できる。その結果、びびり音を抑制できる。
【図面の簡単な説明】
【００１２】
【図１】本発明の実施形態に係る室外ユニットを示す斜視図である。
【図２】室外ユニットの内部構成を示す図であり、図１のＩＩ−ＩＩ断面図である。
【図３】フラットファンガードを外した状態の室外ユニットの上部を示す斜視図である。
【図４】図３の室外ユニットの上部を示す分解斜視図である。
【図５】前側天面パネル部を示す斜視図である。
【図６】後側天面パネル部を示す斜視図である。
【図７】フラットファンガードを固定した状態の室外ユニットを示す平面図である。
【図８】フラットファンガードを示す正面図である。
【図９】フラットファンガードの取り付け部を拡大して示す斜視図である。
【図１０】フラットファンガードの位置決め部を拡大して示す分解斜視図である。
【図１１】フラットファンガードの位置決め部を拡大して示す斜視図である。
【発明を実施するための形態】
【００１３】
以下、図面を参照して本発明の実施形態について説明する。
空気調和装置は、室外ユニット１０と室内ユニット（図示せず）とから構成されており、冷媒配管により接続された冷媒回路に冷媒を流して、冷房運転および暖房運転を行う。室外ユニット１０は、室外に設置され、室外空気と熱交換して冷房運転時には冷媒を凝縮させて外気に熱を放出し、暖房運転時には冷媒を蒸発させて外気から熱を取り込むものである。なお、以下に述べる上下および左右といった方向は、室外ユニット１０を設置した状態でその前面側から見た場合の方向を示している。
【００１４】
図１は、室外ユニット１０を示す斜視図であり、図２は、室外ユニット１０の内部構成を示す図であり、図１のＩＩ−ＩＩ断面図である。
室外ユニット１０は、図１に示すように、略直方体箱形状のユニットケース（筐体、外装体）１１を備え、このユニットケース１１は、前後方向に延びる一対の脚部材１３，１３上に架け渡されて固定される底板１２と、この底板１２の４隅から鉛直方向に延びる支柱１４と、前面パネル１５を有して構成される。
底板１２上には、図２に示すように、上面視略コ字形状に屈曲されて形成された熱交換器２１が配置され、この熱交換器２１によってユニットケース１１の背面及び左右両側面が形成されている。この熱交換器２１の上部には、送風装置（軸流型送風装置）２２が配置される。熱交換器２１は、ユニットケース１１の側面部を構成し、このユニットケース１１の左側面から背面及び右側面に沿わせて配置されている。
【００１５】
送風装置２２は、熱交換器２１の上方に配置されるファンモーター２３と、このファンモーター２３の軸に取り付けられたプロペラファン（羽根車）２４とを備えて構成される。隣接する支柱１４，１４間には、熱交換器２１の上端に相当する位置で当該支柱１４，１４を連結する連結部材１６，１６（図４参照）が設けられ、ファンモーター２３は、これら連結部材１６，１６間に架け渡された支持フレーム１７，１７に固定される。
プロペラファン２４の周囲には、プロペラファン２４の吸込側の空気を吹出側に案内するベルマウス２５が設けられ、このベルマウス２５の吹出開口２５Ａの上方は、図２に示すように、プロペラファン２４への人体などの接触を防止するフラットファンガード４０で覆われる。また、ベルマウス２５の周囲には、化粧パネル２７が設けられている。
【００１６】
ファンモーター２３によりプロペラファン２４が回転駆動されると、室外ユニット１０の周囲、より具体的には図中矢印Ｘで示すように、ユニットケース１１の前面を除いた左側面側、背面側及び右側面側から外気がユニットケース１１内に吸い込まれ、このユニットケース１１の上面部に設けられたベルマウス２５の吹出開口２５Ａを通じて外に排出される。つまり、この室外ユニット１０は、上面から熱交換後の空気を吹き出す上面吹き出しタイプに構成されている。
【００１７】
ユニットケース１１内には、底板１２上に、図示は省略するが、冷媒回路の一部を構成する圧縮機、アキュムレータ、オイルセパレーター及びレシーバータンクが設けられるとともに、四方弁や膨張弁といった弁体などの冷媒回路構成部品が配管接続されて収容される。これら冷媒回路構成部品の配管の一端側は、熱交換器２１を介して室内ユニットと配管接続され、当該冷媒回路構成部品の配管の他端側は室内ユニットに配管接続され、これにより、冷媒を循環する冷媒回路が構成される。
また、本構成では、圧縮機は、ユニットケース１１の前面側に配置され、この圧縮機の上方空間に空気調和装置を制御する制御基板などの各種電装ユニットを配設した電装箱５０が配置される。このため、前面パネル１５を取り外すことによって、作業者が前面側からユニットケース１１内の部品のメンテナンス作業を容易に行うことができる。符号２９は、圧縮機の上方、後方、及び左右側方に設けられ、圧縮機に直接雨滴がかからないようにするためのカバー板である。
【００１８】
次に、室外ユニット１０の上部の構造について説明する。
図３は、フラットファンガード４０を外した状態の室外ユニット１０の上部を示す斜視図である。図４は、図３の室外ユニット１０の上部を示す分解斜視図である。図５は、前側天面パネル部３３Ａを示す斜視図である。図６は、後側天面パネル部３３Ｂを示す斜視図である。図７は、フラットファンガード４０を固定した状態の室外ユニット１０を示す平面図である。
ベルマウス２５の後方及び左右側方は、図３及び図４に示すように、それぞれ背面パネル体３１及び側面パネル体（側板）３２，３２によって覆われている。ベルマウス２５は、ユニットケース１１の短尺長さ（本実施形態では、左右方向の幅）と略同一の大きさに形成されるとともに、吹出開口２５Ａに側面パネル体３２，３２に沿う直線部２５Ｂ，２５Ｂを備えている。各パネル体３１，３２は、上部を内側に折り曲げて形成した上端面（外装体端面）３１Ａ，３２Ａを備えている。背面パネル体３１及び側面パネル体３２，３２は、側部が支柱１４に、下端が連結部材１６，１６に固定されている。
背面パネル体３１及び側面パネル体３２，３２には天面パネル体（端板）３３が設けられている。これらパネル体３１−３３は、板金製であり、ユニットケース（外装体）１１を構成している。
【００１９】
天面パネル体３３には、ベルマウス２５の吹出開口２５Ａを露出させる略円形の開口（内周部）３４が形成されている。天面パネル体３３は、前側天面パネル部３３Ａと、後側天面パネル部３３Ｂとを備えて半割一対に構成されている。本実施形態では、前側天面パネル部３３Ａと後側天面パネル部３３Ｂとは、ベルマウス２５の直線部２５Ｂ，２５Ｂの分だけ間を空けて設けられている。
【００２０】
前側天面パネル部３３Ａは、図５に示すように、ベルマウス２５（図４）の上方に位置する天面材３３Ａ１と、天面材３３Ａ１から立設する立設面３３Ａ２と、立設面３３Ａ２から前方の前面パネル１５（図１）に延出する上端面（外装体端面）３３Ａ３とを一体に備えて構成されている。
後側天面パネル部３３Ｂは、図６に示すように、ベルマウス２５の上方に位置する天面材３３Ｂ１と、天面材３３Ｂ１から立設する立設面３３Ｂ２と、立設面３３Ｂ２から後方の背面パネル体３１に延出する上端面（外装体端面）３３Ｂ３とを一体に備えて構成されている。
【００２１】
天面材３３Ａ１，３３Ｂ１の両側部には、図４−図６に示すように、下方に延出する延出片３３Ａ４，３３Ｂ４が設けられている。この延出片３３Ａ４，３３Ｂ４は、天面パネル部３３Ａ，３３Ｂを構成する板金を折り曲げることにより天面材３３Ａ１，３３Ｂ１と一体に形成されている。前側天面パネル部３３Ａは、上端面３３Ａ３が前面パネル１５（図３）及び支柱１４に、延出片３３Ａ４が側面パネル３２，３２に固定されている。後側天面パネル部３３Ｂは、上端面３３Ｂ３が背面パネル体３１の上端面３１Ａに、延出片３３Ｂ４が側面パネル３２，３２に固定されている。
【００２２】
パネル体３１−３３の上端面３１Ａ，３２Ａ，３３Ａ３，３３Ｂ３は、図７に示すように、略矩形状の内周縁３０を構成しており、これらの上端面３１Ａ，３２Ａ，３３Ａ３，３３Ｂ３にフラットファンガード４０が固定されている。このように、天面パネル体３３の天面材３３Ａ１，３３Ｂ１ではなく、パネル体３１−３３の上端面３１Ａ，３２Ａ，３３Ａ３，３３Ｂ３にフラットファンガード４０を固定したため、フラットファンガード４０の形状を、円形の開口３４に合わせる必要がなくなり、フラットファンガード４０の設計自由度が向上する。
なお、図５及び図６中、符号３５は開口３４に沿って上方に起き上がる切り起こし壁、符号３６，３７は天面材３３Ａ１，３３Ｂ１上に浸入した水を排水するための水抜き箇所である。水抜き箇所３７は、支柱１４を避ける切り欠き部３８に設けられている。
【００２３】
次に、フラットファンガード４０について説明する。
図８は、フラットファンガード４０を示す正面図である。図９は、フラットファンガード４０の取り付け部４３を拡大して示す斜視図である。図１０は、フラットファンガード４０の位置決め部４５を拡大して示す分解斜視図である。図１１は、フラットファンガード４０の位置決め部４５を拡大して示す斜視図である。
【００２４】
フラットファンガード４０は、図７に示すように、フラット形状、且つ、略矩形状に形成されたファンガードであり、外周縁４０Ａがパネル体３１−３３の内周縁３０よりも小さく形成されている。これにより、フラットファンガード４０とパネル体３１−３３との間に隙間δが形成されるので、フラットファンガード４０とパネル体３１−３３との接触を抑制できる。このフラットファンガード４０は、縦列、横列に複数の細線材４１を配列するとともに、細線材４１の間に太線材４２を配列して構成されている。なお、本実施形態では、線材４１，４２の間隔を等間隔にしているが、これに限定されるものではない。また、縦列の線材４１，４２の上に横列の線材４１，４２を取り付けているが、これに限定されるものではなく、例えば、横列の線材４１，４２の上に縦列の線材４１，４２を取り付けてもよいし、縦列及び横列の上下を交互に変えてもよい。
【００２５】
太線材４２は、フラットファンガード４０の外周縁４０Ａの近傍部分（外周縁部）に複数本（本実施形態では、２本）配列されている。より詳細には、フラットファンガード４０の４辺の外周縁４０Ａが太線材４２により構成されるとともに、外周縁４０Ａの隣の線材が太線材４２により構成されている。これにより、剛性が比較的低くなる外周縁部の剛性を高くすることができる。
また、太線材４２は、外周縁部だけではなく、フラットファンガード４０全体に互いに間隔を空けて設けられている。これにより、フラットファンガード４０全体の強度を向上させることができる。本実施形態では、最大でも太線材４２間に２本の細線材４１が配置される間隔で設けられている。
【００２６】
フラットファンガード４０は、各辺が、複数箇所（本実施形態では、６箇所）でパネル体３１−３３の上端面３１Ａ，３２Ａ，３３Ａ３，３３Ｂ３にビス４９によって固定されている。フラットファンガード４０をパネル体３１−３３の３１Ａ，３２Ａ，３３Ａ３，３３Ｂ３に取り付けるための取り付け部４３，４４は、図８に示すように、いずれかの太線材４２の両端部４２Ａに設けられている。このように、太線材４２の両端部４２Ａに取り付け部４３，４４を設けることにより、太線材４２によってフラットファンガード４０をパネル体３１−３３に強固に固定できるので、パネル体３１−３３とフラットファンガード４０との衝突を防止できる。
【００２７】
フラットファンガード４０の短辺においては、長辺方向に延びる太線材４２を複数本（本実施形態では、２本）隣同士に配列し、各太線材４２の端部４２Ａ同士を閉じて取り付け部４３を形成している。取り付け部４３は、長辺方向に延びる太線材４２の両端部４２Ａに形成されている。この取り付け部４３は、図９に示すように、並行する太線材４２を、外周縁４０Ａ近傍で互いに近接する方向に折り曲げて折り曲げ部４３Ａを設けるとともに、ビス４９の座面が当接する大きさ（本実施形態では、ワッシャ４９Ａの大きさ）に狭めて形成されている。このように、外周縁４０Ａ近傍に折り曲げ部４３Ａを設けることで、取り付け部４３の強度を高めることができる。また、太線材４２が複数本並列に並ぶので、フラットファンガード４０全体の強度を向上させることができ、例えば、フラットファンガード４０に雪が積もること等により、フラットファンガード４０に上から荷重が掛かっても、フラットファンガード４０の変形を防ぐことができる。
【００２８】
フラットファンガード４０の長辺においては、図１０及び図１１に示すように、短辺方向に延びる太線材４２の端部４２Ａを、ビス４９の座面が当接する大きさ（本実施形態では、ワッシャ４９Ａの大きさ）となるように曲げて取り付け部４４を形成している。このように、太線材４２の端部４２Ａを曲げて取り付け部４４を形成することにより、取り付け部４４を容易に設けることができるとともに、取り付け部４４によって太線材４２の剛性を高めることができる。なお、本実施形態では、取り付け部４３は、太線材４２の端部４２Ａを略円形に折り曲げているが、折り曲げ形状はこれに限定されるものはない。
【００２９】
また、短辺方向に延びる細線材４１には、端部４１Ａに、フラットファンガード４０の逆取り付けを防止するための位置決め部４５が設けられている。位置決め部４５は、細線材４１の端部４１Ａをパネル体３２側に折り曲げて形成されており、パネル体３２に形成した係合孔３０Ｂに挿入されて係合されている。このように、位置決め部４５を細線材４１に設けることで、位置決め部４５を容易に形成できる。なお、本実施形態では、位置決め部４５を、短辺方向に延びる細線材４１に形成してフラットファンガード４０の長辺に設けているが、長辺方向に延びる細線材４１に形成してフラットファンガード４０の短辺に設けてもよい。
位置決め部４５は、両端部４２Ａに取り付け部４３が形成された太線材４２の隣の細線材４１に形成されている。これにより、位置決め部４５を設けた細線材４１の近傍でフラットファンガード４０を強固に固定できるので、位置決め部４５のびびり音を防止できる。
【００３０】
以上説明したように、本実施形態によれば、フラットファンガード４０の外周縁４０Ａをパネル体３１−３３の上端面３１Ａ，３２Ａ，３３Ａ３，３３Ｂ３の内周縁３０よりも小さく形成したため、フラットファンガード４０とパネル体３１−３３との接触を抑制できる。また、縦列、横列に複数の細線材４１を配列し、当該細線材４１の間に太線材４２を配列し、いずれかの太線材４２の両端部４２Ａにフラットファンガード４０をパネル体３１−３３の上端面３１Ａ，３２Ａ，３３Ａ３，３３Ｂ３に取り付けるための取り付け部４３，４４を備えたため、太線材４２によってフラットファンガード４０をパネル体３１−３３に強固に固定できるので、パネル体３１−３３とフラットファンガード４０との衝突を防止できる。その結果、びびり音を抑制できる。
【００３１】
また、本実施形態によれば、太線材４２を複数本隣同士に配列し、各太線材４２の端部４２Ａ同士を閉じて取り付け部４３を形成する構成とした。この構成により、太線材４２が複数本並列に並ぶので、フラットファンガード４０全体の強度を向上させることができる。
【００３２】
また、本実施形態によれば、いずれかの細線材４１の端部４１Ａにフラットファンガード４０の逆取り付けを防止するための位置決め部４５を設けたため、位置決め部４５を容易に形成できる。
また、位置決め部４５を設けた細線材４１の隣の太線材４２の両端部４２Ａに取り付け部４３を備えたため、位置決め部４５を設けた細線材４１の近傍でフラットファンガード４０を強固に固定できるので、位置決め部４５のびびり音を防止できる。
【００３３】
また、本実施形態によれば、フラットファンガード４０の外周縁４０Ａの近傍部（外周縁部）に太線材４２を複数本配列したため、剛性が比較的低くなる外周縁部の剛性を高めることができる。
【００３４】
また、本実施形態によれば、取り付け部４４は太線材４２の端部４２Ａを曲げて形成されているため、取り付け部４４を容易に設けることができるとともに、太線材４２の剛性を高めることができる。
【００３５】
但し、上記実施形態は本発明の一態様であり、本発明の趣旨を逸脱しない範囲において適宜変更可能であるのは勿論である。
例えば、上記実施形態では、フラットファンガード４０は略矩形状に形成されていたが、フラットファンガード４０の形状はこれに限定されるものではない。
【符号の説明】
【００３６】
１０  室外ユニット
１１  ユニットケース（筐体、外装体）
２１  室外熱交換器
２４  プロペラファン
３０  内周縁
３１−３３  パネル体（外装体）
３１Ａ，３２Ａ，３３Ａ３，３３Ｂ３  上端面（外装体端面）
４０  フラットファンガード
４０Ａ  外周縁
４１  細線材
４１Ａ  端部
４２  太線材
４２Ａ  端部
４３，４４  取り付け部
４５  位置決め部
【図１】
2014129920.tif 000003
【図２】
2014129920.tif 000004
【図３】
2014129920.tif 000005
【図４】
2014129920.tif 000006
【図５】
2014129920.tif 000007
【図６】
2014129920.tif 000008
【図７】
2014129920.tif 000009
【図８】
2014129920.tif 000010
【図９】
2014129920.tif 000011
【図１０】
2014129920.tif 000012
【図１１】
2014129920.tif 000013